(57)【要約】【課題】容器内部から水等の液体が本体接合面と蓋接合面との間を通って外部にしみ出してくることを防止又は減少させる容器を提供する。【解決手段】開口を有する容器本体と、該開口を塞ぐ蓋と、を備える容器であって、該容器本体が、該開口を取り囲むように形成される面である本体接合面を有し、該蓋が、該本体接合面に接合する面である蓋接合面を有し、該本体接合面及び該蓋接合面のいずれか一方が、該本体接合面と該蓋接合面とが互いに接合されたとき他方に向けて突出するように該一方に沿って該一方と一体に形成された凸条を有するものである、容器である。【選択図】　図７
2004136921.tif 000002
【特許請求の範囲】
【請求項１】
開口を有する容器本体と、該開口を塞ぐ蓋と、を備える容器であって、
該容器本体が、該開口を取り囲むように形成される面である本体接合面を有し、
該蓋が、該本体接合面に接合する面である蓋接合面を有し、
該本体接合面及び該蓋接合面のいずれか一方が、該本体接合面と該蓋接合面とが互いに接合されたとき他方に向けて突出するように該一方に沿って該一方と一体に形成された凸条を有するものである、容器。
【請求項２】
前記本体接合面と前記蓋接合面とが互いに接合されたとき、前記容器本体と前記蓋とのいずれか一方が、他方に向けて突出し前記開口を取り囲むように形成された突条である嵌入突条を有し、
前記容器本体と前記蓋とのうち該嵌入突条を有さない他方が、該嵌入突条を嵌入する嵌入凹溝を有するものである、請求項１に記載の容器。
【請求項３】
前記凸条が、前記嵌入突条又は前記嵌入凹溝のいずれかに形成されたものである、請求項２に記載の容器。
【請求項４】
前記嵌入突条が前記嵌入凹溝に嵌入された状態のとき、前記凸条が、前記容器の鉛直な平面による断面である鉛直断面において前記嵌入突条の先端又は前記嵌入凹溝の最深部に形成されたものである、請求項３に記載の容器。
【請求項５】
前記嵌入突条が前記嵌入凹溝に嵌入された状態のとき、前記凸条よりも内側で前記嵌入突条と前記嵌入凹溝とが接するものである、請求項３又は４に記載の容器。
【請求項６】
前記本体接合面と前記蓋接合面と前記凸条とが、前記開口の周囲全てを取り囲むように形成されるものである、請求項１乃至５のいずれかに記載の容器。
【請求項７】
前記凸条を横断する断面において、前記凸条の先端部が曲面によって構成されるものである、請求項１乃至６のいずれかに記載の容器。
【請求項８】
前記凸条の高さが、０．０７ｍｍ乃至０．１６ｍｍである、請求項１乃至７のいずれかに記載の容器。
【請求項９】
前記凸条の幅が、０．５ｍｍ乃至１．５ｍｍである、請求項１乃至８のいずれかに記載の容器。
【発明の詳細な説明】
【０００１】
【発明の属する技術分野】
本発明は、容器に関し、より詳細には、開口を有する容器本体と、該開口を塞ぐ蓋と、を備える容器であって該蓋を閉めたときに液密性が高い容器に関する。
【０００２】
【従来の技術】
開口を有する容器本体と、該開口を塞ぐ蓋と、を備える容器は、種々の分野において多用されている。図１は、従来から用いられてきたかかる容器（開口を有する容器本体と、該開口を塞ぐ蓋と、を備える容器）１０１の平面図であり、図２は図１のＡ−Ａ端面図であり、図３は図２の円Ｂ中の拡大図であり、図４は図２の状態から容器本体１０３と蓋１０５とを取り外したところを示した端面図である（なお、容器本体と蓋とのいずれも厚みが薄いので、図２及び図４では端面を線によって示したが、無論、厚みを有する。）。図１乃至図４を参照して、従来から用いられてきた容器１０１について説明する。
【０００３】
容器１０１は、開口１０３ａを有する容器本体１０３と、開口１０３ａを塞ぐ蓋１０５と、を備えてなる。そして、容器本体１０３が、蓋１０５に向けて突出し開口１０３ａを取り囲むように形成された突条である嵌入突条１０３ｂを有し、蓋１０５が、嵌入突条１０３ｂを嵌入する嵌入凹溝１０５ｂを有する。そして、容器本体１０３が、開口１０３ａを取り囲むように形成される面である本体接合面１０３ｃ（嵌入突条１０３ｂの両面のうち蓋１０５に面する面）を有する。蓋１０５が、本体接合面１０３ｃに接合する面である蓋接合面１０５ｃ（嵌入凹溝１０５ｂの両面のうち容器本体１０３に面する面）を有する。そして、ここでは本体接合面１０３ｃと蓋接合面１０５ｃが、開口１０３ａの周囲全てを取り囲むように形成されている（以上、特に図２及び図４を参照されたい。）。
【０００４】
この容器１０１を構成する容器本体１０３及び蓋１０５のいずれも、透明で薄い合成樹脂によって形成されており、図２及び図３に示すように嵌入突条１０３ｂを嵌入凹溝１０５ｂに嵌入することで容器本体１０３と蓋１０５とが互いに固定されると共に本体接合面１０３ｃと蓋接合面１０５ｃとが接合（ここでは両面１０３ｃ、１０５ｃが略密接している。特に、図３を参照されたい。）されることによって、容器内部１０１ａをほぼ密閉することができる
【０００５】
【発明が解決しようとする課題】
しかしながら、上記したような従来の容器１０１の容器内部１０１ａに、水等の液体を含む収容物（例えば、キムチ等のような漬け物類等）を収容すると、該収容物に含まれる水等の液体が、本体接合面１０３ｃと蓋接合面１０５ｃとの間から外部にしみ出すという問題があった。これは該収容物に含まれる水等の液体が、容器内部１０１ａから本体接合面１０３ｃと蓋接合面１０５ｃとの間に付着すると（図３中の矢印Ｃ方向に水等の液体が移動すると）、本体接合面１０３ｃと蓋接合面１０５ｃとの間を通って外部にしみ出してくる（図３中の矢印Ｄ方向に水等の液体がしみだす。）ためである。
【０００６】
そこで、本発明では、本体接合面と蓋接合面とが接合されることで容器内部をほぼ密閉する容器であって、容器内部から水等の液体が本体接合面と蓋接合面との間を通って外部にしみ出してくることを防止又は減少させる容器を提供することを目的とする。
【０００７】
【課題を解決するための手段】
本発明者は、上述の課題を解決すべく水等の液体が本体接合面と蓋接合面との間を通って外部にしみ出してくる原因を調査したところ、本体接合面と蓋接合面との間の隙間に生じる毛管現象によることを解明した。この解明結果に鑑み、本発明者は本発明の容器（以下、「本容器」という。）を発明した。
即ち、本容器は、開口を有する容器本体と、該開口を塞ぐ蓋と、を備える容器であって、該容器本体が、該開口を取り囲むように形成される面である本体接合面を有し、該蓋が、該本体接合面に接合する面である蓋接合面を有し、該本体接合面及び該蓋接合面のいずれか一方が、該本体接合面と該蓋接合面とが互いに接合されたとき他方に向けて突出するように該一方に沿って該一方と一体に形成された凸条を有するものである、容器である。
【０００８】
こうすることで本体接合面及び蓋接合面のいずれか一方が、本体接合面と蓋接合面とが互いに接合されたとき他方（本体接合面及び蓋接合面のうち該一方以外のもの）に向けて突出するように該一方に沿って該一方と一体に形成された凸条を有するので、凸条の周辺（凸条の一側又は両側）では本体接合面と蓋接合面とが密接することができない（凸条の高さに応じて本体接合面と蓋接合面との間に所定の隙間が形成される。）ことから、凸条の周辺では毛管現象を防止又は減少させることができる。さらに、凸条は、該他方と強く当接するので（凸条がない場合に比して、当接面積が小さくなる。）、凸条と該他方との当接部分を水等の液体が通過しにくくすることができる。これらのことから本容器は水等の液体が本体接合面と蓋接合面との間を通って外部にしみ出してくることを防止又は減少させることができる。
【０００９】
前記本体接合面と前記蓋接合面とが互いに接合されたとき、前記容器本体と前記蓋とのいずれか一方が、他方に向けて突出し前記開口を取り囲むように形成された突条である嵌入突条を有し、前記容器本体と前記蓋とのうち該嵌入突条を有さない他方が、該嵌入突条を嵌入する嵌入凹溝を有するもの（以下、「嵌入本容器」という。）であってもよい。
こうすることで嵌入突条を嵌入凹溝に嵌入することで、本体接合面と蓋接合面とを互いに所定の位置にて確実に接合させることができるので、本体接合面及び蓋接合面のいずれか前記一方に形成された凸条が前記他方に所定の位置にて確実に当接することができ、水等の液体が本体接合面と蓋接合面との間を通って外部にしみ出してくることを一層確実に防止又は減少させることができる。
【００１０】
嵌入本容器の場合、前記凸条が、前記嵌入突条又は前記嵌入凹溝のいずれかに形成されたもの（以下、「嵌入部分凸条形成本容器」という。）であってもよい。
こうすることによって嵌入突条が嵌入凹溝に嵌入されることで、嵌入突条と嵌入凹溝との間を水等の液体が通過しにくくなることと、凸条が確実に毛管現象を防止又は減少させること等（本体接合面と蓋接合面とを固定する嵌入突条又は嵌入凹溝のいずれかに凸条を形成することで、容器が変形等しても凸条が前記他方に当接する位置や方向が変化しにくい。）と、が相俟って、水等の液体が本体接合面と蓋接合面との間を通って外部にしみ出してくることをさらに確実に防止又は減少させることができる。
【００１１】
嵌入部分凸条形成本容器の場合、前記嵌入突条が前記嵌入凹溝に嵌入された状態のとき、前記凸条が、前記容器の鉛直な平面による断面である鉛直断面において前記嵌入突条の先端又は前記嵌入凹溝の最深部に形成されたものであってもよい。
なお、「容器の鉛直な平面による断面である鉛直断面」とは、本容器を水平面に通常使用する状態（通常は、容器本体が下部で、蓋が上部に存する。）にて載置し、鉛直な平面（水平面に垂直な平面）によって切断した際にあらわれる断面をいう。
こうすることで嵌入突条が嵌入凹溝に嵌入された状態のとき、凸条が、本体接合面及び蓋接合面のうちの前記他方に確実に当接することができ、水等の液体が本体接合面と蓋接合面との間を通って外部にしみ出してくることを一層確実に防止又は減少させることができる。
【００１２】
嵌入部分凸条形成本容器の場合、前記嵌入突条が前記嵌入凹溝に嵌入された状態のとき、前記凸条よりも内側で前記嵌入突条と前記嵌入凹溝とが接するものであってもよい。
このときの「凸条よりも内側」とは、凸条を横断するように切断した断面（凸条がのびる方向に対して垂直な断面）において、凸条の両側のうち本容器の内部に連なる方をいう。
こうすることで凸条よりも内側で嵌入突条と嵌入凹溝とが接するので、本容器の内部に収容された水等の液体は、凸条に到着する前に互いに接した嵌入突条と嵌入凹溝との間を通過する必要があり、凸条に到着するときの勢いが弱められことから、水等の液体が本体接合面と蓋接合面との間を通って外部にしみ出してくることを一層確実に防止又は減少させることができる。
【００１３】
前記本体接合面と前記蓋接合面と前記凸条とは、前記開口の周囲全てを取り囲むものである必要は必ずしもないが、前記開口の周囲全てを取り囲むように形成されるものであってもよく、そのように該周囲全てを取り囲むように形成されれば前記開口の周囲全ての位置において水等の液体が本体接合面と蓋接合面との間を通って外部にしみ出してくることを防止又は減少させることができる。
【００１４】
前記凸条を横断する断面において、前記凸条の先端部が曲面によって構成されるものであってもよい。
ここに「凸条を横断する断面」とは、凸条がのびる方向（凸条が曲線に沿ってのびている場合であれば、該曲線の接線方向）に対して垂直な平面による断面をいう。
こうすることで前記凸条が、本体接合面及び蓋接合面のうちの前記他方に曲面として当接するので、前記他方と前記凸条の先端部との間に隙間を生じにくく、水等の液体が本体接合面と蓋接合面との間を通って外部にしみ出してくることを確実に防止又は減少させることができる。なお、この曲面は、いかなるものであってもよいが、例えば、円や楕円の一部等であってもよい。
【００１５】
前記凸条の高さは、水等の液体が本体接合面と蓋接合面との間を通って外部にしみ出してくることを防止又は所望程度に減少させることができればいかなるものであってもよく、何ら制限されるものではないが、通常、好ましくは０．０７ｍｍ以上、より好ましくは０．０８５ｍｍ以上、最も好ましくは０．１ｍｍ以上であり、そして好ましくは０．１６ｍｍ以下、より好ましくは０．１４５ｍｍ以下、最も好ましくは０．１３ｍｍ以下である（例えば、通常、好ましいのは０．０７ｍｍ以上０．１６ｍｍ以下、より好ましいのは０．０８５ｍｍ以上０．１４５ｍｍ以下、最も好ましいのは０．１ｍｍ以上０．１３ｍｍ以下である。）。
【００１６】
前記凸条の幅は、水等の液体が本体接合面と蓋接合面との間を通って外部にしみ出してくることを防止又は所望程度に減少させることができればいかなるものであってもよく、何ら制限されるものではないが、通常、好ましくは０．５ｍｍ以上、より好ましくは０．７ｍｍ以上、最も好ましくは０．９ｍｍ以上であり、そして好ましくは１．５ｍｍ以下、より好ましくは１．３ｍｍ以下、最も好ましくは１．１ｍｍ以下である（例えば、通常、好ましいのは０．５ｍｍ以上１．５ｍｍ以下、より好ましいのは０．７ｍｍ以上０．３ｍｍ以下、最も好ましいのは０．９ｍｍ以上１．１ｍｍ以下である。）。
【００１７】
また、凸条の本数は、何ら制限されるものではなく、１、２、３、４・・・本というふうに、必要に応じて本数が決定されればよい。
【００１８】
【発明の実施の形態】
以下、本発明の実施の形態を図面を参照して説明する。しかしながら、これらによって本発明は何ら制限されるものではない。
【００１９】
図５は、一実施形態の本発明の容器（本容器）１１の平面図であり、図６は図１のＦ−Ｆ端面図であり、図７は図６の円Ｇ中の拡大図であり、図８は図６の状態から容器本体１３と蓋１５とを取り外したところを示した端面図であり、図９は蓋１５を下側（図８中、矢印Ｋ方向）から見たところを示す図であり、図１０は容器本体１３を上側（図８中、矢印Ｌ方向）から見たところを示す図である（なお、容器本体と蓋とのいずれも厚みが薄いので、図６及び図８では端面を線によって示したが、無論、厚みを有する。）。図５乃至図１０を参照して、本容器１１について説明する。
【００２０】
容器１１は、開口１３ａを有する容器本体１３と、開口１３ａを塞ぐ蓋１５と、を備えてなる。そして、容器本体１３が、蓋１５に向けて突出し開口１３ａを取り囲むように形成された突条である嵌入突条１３ｂを有し、蓋１５が、嵌入突条１３ｂを嵌入する嵌入凹溝１５ｂを有する。そして、容器本体１３が、開口１３ａを取り囲むように形成される面である本体接合面１３ｃ（嵌入突条１３ｂの両面のうち蓋１５に面する面）を有する。蓋１５が、本体接合面１３ｃに接合する面である蓋接合面１５ｃ（嵌入凹溝１５ｂの両面のうち容器本体１３に面する面）を有する。そして、ここでは本体接合面１３ｃと蓋接合面１５ｃが、開口１３ａの周囲全てを取り囲むように形成されている。
【００２１】
この容器１１を構成する容器本体１３及び蓋１５のいずれも、透明で薄い合成樹脂（薄板）によって形成されており、図６及び図７に示すように嵌入突条１３ｂを嵌入凹溝１５ｂに嵌入することで容器本体１３と蓋１５とが互いに固定されると共に本体接合面１３ｃと蓋接合面１５ｃとが接合されることによって、容器内部１１ａをほぼ密閉することができる。
一方、凸条１７が、開口１３ａの周囲全てを取り囲むように嵌入凹溝１５ｂに沿って嵌入凹溝１５ｂに形成されている。ここでは蓋接合面１５ｃが凸条１７を有しており、凸条１７は、本体接合面１３ｃと蓋接合面１５ｃとが互いに接合されたとき本体接合面１３ｃに向けて突出するように蓋接合面１５ｃに沿って蓋接合面１５ｃと一体に形成されている。
【００２２】
凸条１７は、嵌入突条１３ｂが嵌入凹溝１５ｂに嵌入された状態のとき、凸条１７が、容器１１の鉛直な平面による断面である鉛直断面（図７）において嵌入凹溝１５ｂの最深部に形成されている。
そして、嵌入突条１３ｂが嵌入凹溝１５ｂに嵌入された状態のとき、凸条１７よりも内側（凸条１７の両側のうち本容器１１の内部１１ａに連なる方）で嵌入突条１３ｂと嵌入凹溝１５ｂとが接している（図７においては、凸条１７よりも内側の本体接合面１３ｃ１及び蓋接合面１５ｃ１が接している。）。
【００２３】
図１１は、凸条１７を横断する断面（凸条１７がのびる方向に対して垂直な断面。図７が示した面に同じ。）における凸条１７の断面図を示している。図１１を参照して、凸条１７について詳述する。
ここでは凸条１７を横断する断面（図１１及び図７）において、凸条１７の先端部１７ａが曲面（ここでは具体的には円の一部）によって構成されている。
そして、凸条１７の高さＨは、ここでは０．１１ｍｍ（０．９ｍｍ以上１．１ｍｍ以下）である。
また、凸条１７の幅Ｗは、１ｍｍ（０．９ｍｍ以上１．１ｍｍ以下）である。なお、この凸条１７の先端部１７ａの形状、凸条１７の高さＨ、凸条１７の幅Ｗのいずれも、凸条１７を横断するいずれの断面においても同様である。
【００２４】
以上、説明したように、本容器１１は、開口１３ａを有する容器本体１３と、開口１３ａを塞ぐ蓋１５と、を備える容器であって、容器本体１３が、開口１３ａを取り囲むように形成される面である本体接合面１３ｃを有し、蓋１５が、本体接合面１３ｃに接合する面である蓋接合面１５ｃを有し、本体接合面１３ｃ及び蓋接合面１５ｃのいずれか一方（ここでは蓋接合面１５ｃ）が、本体接合面１３ｃと蓋接合面１５ｃとが互いに接合されたとき他方（ここでは本体接合面１３ｃ）に向けて突出するように該一方（ここでは蓋接合面１５ｃ）に沿って該一方（ここでは蓋接合面１５ｃ）と一体に形成された凸条１７を有するものである、容器である。
【００２５】
そして、本容器１１は、本体接合面１３ｃと蓋接合面１５ｃとが互いに接合されたとき、容器本体１３と蓋１５とのいずれか一方（ここでは容器本体１３）が、他方（ここでは蓋１５）に向けて突出し開口１３ａを取り囲むように形成された突条である嵌入突条１３ｂを有し、容器本体１３と蓋１５とのうち嵌入突条１３ｂを有さない他方（ここでは蓋１５）が、嵌入突条１３ｂを嵌入する嵌入凹溝１５ｂを有するものである。
また、凸条１７が、嵌入突条１３ｂ又は嵌入凹溝１５ｂのいずれか（ここでは嵌入凹溝１５ｂ）に形成されている。
【００２６】
嵌入突条１３ｂが嵌入凹溝１５ｂに嵌入された状態のとき、凸条１７が、容器１１の鉛直な平面による断面である鉛直断面において嵌入突条１３ｂの先端又は嵌入凹溝１５ｂの最深部に形成されている（ここでは嵌入凹溝１５ｂの最深部に形成されている）。
また、嵌入突条１３ｂが嵌入凹溝１５ｂに嵌入された状態のとき、凸条１７よりも内側で嵌入突条１３ｂと嵌入凹溝１５ｂとが接している。
【００２７】
さらに、ここでは本体接合面１３ｃと蓋接合面１５ｃと凸条１７とが、開口１３ａの周囲全てを取り囲むように形成されている。
また、凸条１７を横断する断面において、凸条１７の先端部１７ａが曲面によって構成されている。
加えて、凸条１７の高さＨは０．１１ｍｍ（０．０７ｍｍ乃至０．１６ｍｍ）であり、凸条１７の幅Ｗは１ｍｍ（０．５ｍｍ乃至１．５ｍｍ）である。
【００２８】
このような本容器１１を用いれば、凸条１７の周辺（凸条の両側。図７を参照されたい。）では本体接合面１３ｃと蓋接合面１５ｃとが密接することができない（凸条１７の高さに応じて本体接合面１３ｃと蓋接合面１５ｃとの間に所定の隙間が形成される。）ことから、凸条１７の周辺では毛管現象を防止又は減少させることができる。さらに、凸条１７（先端部１７ａ）は、本体接合面１３ｃと強く当接するので、凸条１７と本体接合面１３ｃとの当接部分を水等の液体が通過しにくくすることができる。これらのことから本容器１１の内部１１ａに水等の液体を含む物を収容しても、水等の液体が本体接合面１３ｃと蓋接合面１５ｃとの間を通って外部にしみ出してくることを防止又は減少させることができる。即ち、本容器１１は、容器本体１３と蓋１５とを自由に着脱することができることに加え、蓋１５を容器本体１３に取り付けた際には、水等の液体が本体接合面１３ｃと蓋接合面１５ｃとの間を通って外部にしみ出してくることを防止又は減少させることができる極めて便利なものである。
【図面の簡単な説明】
【図１】従来から用いられてきた容器の平面図である。
【図２】図１のＡ−Ａ端面図である。
【図３】図２の円Ｂ中の拡大図である。
【図４】図２の状態から容器本体と蓋とを取り外したところを示した端面図である。
【図５】一実施形態の本発明の容器（本容器）の平面図である。
【図６】図１のＦ−Ｆ端面図である。
【図７】図６の円Ｇ中の拡大図である。
【図８】図６の状態から容器本体と蓋とを取り外したところを示した端面図である。
【図９】蓋を下側から見たところを示す図である。
【図１０】容器本体を上側から見たところを示す図である。
【図１１】凸条の断面図である。
【符号の説明】
１１　　　本容器
１１ａ　　容器内部
１３　　　容器本体
１３ａ　　開口
１３ｃ　　本体接合面
１３ｂ　　嵌入突条
１５　　　蓋
１５ｂ　　嵌入凹溝
１５ｃ　　蓋接合面
１７　　　凸条
１７ａ　　先端部
１０１　　　従来から用いられてきた容器
１０１ａ　　容器内部
１０３　　　容器本体
１０３ａ　　開口
１０３ｂ　　嵌入突条
１０３ｃ　　本体接合面
１０５　　　蓋
１０５ｂ　　嵌入凹溝
１０５ｃ　　蓋接合面
【図１】
2004136921.tif 000003
【図２】
2004136921.tif 000004
【図３】
2004136921.tif 000005
【図４】
2004136921.tif 000006
【図５】
2004136921.tif 000007
【図６】
2004136921.tif 000008
【図７】
2004136921.tif 000009
【図８】
2004136921.tif 000010
【図９】
2004136921.tif 000011
【図１０】
2004136921.tif 000012
【図１１】
2004136921.tif 000013